(57)【要約】【課題】安定した積み重ねを行うこと。【解決手段】口部２、肩部３、胴部４及び底部５が上方から下方に向けてこの順に連設され、口部にキャップ４２が装着されたボトルであって、底部は、接地部１０と、接地部との接続部分１１を中心に下方に向けて反転変形可能に形成された陥没部１２とを備え、陥没部は、当該ボトルとは異なる他のボトルのキャップが内部に収容される上側陥没部１３と、上側陥没部と接地部とを連結する下側陥没部１４とを備え、他のボトルにおける陥没部が反転変形することによって形成される反転突出部２７は肩部に係止可能とされているボトル１を提供する。【選択図】図１
2017178327.tif 000002
【特許請求の範囲】
【請求項１】
口部、肩部、胴部及び底部が上方から下方に向けてこの順に連設され、前記口部にキャップが装着されたボトルであって、
前記底部は、
外周縁部に位置する接地部と、
ボトル軸上に位置すると共に上方に向けて窪み、前記接地部との接続部分を中心に下方に向けて反転変形可能に形成された陥没部と、を備え、
前記陥没部は、
当該ボトルとは異なる他のボトルの前記キャップが内部に収容される上側陥没部と、
前記上側陥没部と前記接地部とを連結する下側陥没部と、を備え、
前記他のボトルにおける前記陥没部が反転変形することによって形成される反転突出部は、前記肩部に係止可能とされている、ボトル。
【請求項２】
請求項１に記載のボトルにおいて、
前記肩部は、
上方に向かうにしたがって漸次、ボトル径方向の内側に延び、前記口部に連結される肩本体部と、
前記肩本体部と前記胴部とを連結する連結部と、を備え、
前記肩本体部は、前記連結部との接続部分を中心に下方に向けて変形可能に形成され、
前記他のボトルにおける前記反転突出部は、前記肩本体部が変形することによって形成される窪み部内に係止可能とされている、ボトル。
【請求項３】
請求項２に記載のボトルにおいて、
前記下側陥没部の上端部側には、ボトル径方向の外側に向けて突となる押込み突部が形成されている、ボトル。
【請求項４】
請求項２又は３に記載のボトルにおいて、
前記連結部は、環板状に形成されている、ボトル。
【発明の詳細な説明】
【技術分野】
【０００１】
本発明は、積み重ね可能なボトルに関する。
【背景技術】
【０００２】
この種のボトルとして、例えば下記特許文献１に記載のボトルが知られている。
【先行技術文献】
【特許文献】
【０００３】
【特許文献１】実開昭５３−１４８７５８号公報
【発明の概要】
【発明が解決しようとする課題】
【０００４】
しかしながら、上記従来のボトルでは、上下に積み重ねられた複数のボトルに対して、ボトル径方向（横方向）に相対的に変位するような外力（横力）が加わったときに、崩れ易かった。
【０００５】
本発明は、このような事情に鑑みてなされたものであって、その目的は、安定して積み重ねることができるボトルを提供することである。
【課題を解決するための手段】
【０００６】
（１）本発明に係るボトルは、口部、肩部、胴部及び底部が上方から下方に向けてこの順に連設され、前記口部にキャップが装着されたボトルであって、前記底部は、外周縁部に位置する接地部と、ボトル軸上に位置すると共に上方に向けて窪み、前記接地部との接続部分を中心に下方に向けて反転変形可能に形成された陥没部と、を備え、前記陥没部は、当該ボトルとは異なる他のボトルの前記キャップが内部に収容される上側陥没部と、前記上側陥没部と前記接地部とを連結する下側陥没部と、を備え、前記他のボトルにおける前記陥没部が反転変形することによって形成される反転突出部は、前記肩部に係止可能とされている。
【０００７】
本発明では、ボトルを上下に複数段積み重ねるにあたって、まず陥没部と接地部との接続部分を中心に陥没部を下方に向けて反転変形させて、ボトルの下部側に、陥没部の全体が接地部よりも下方に突出した反転突出部を形成する。そして、このように接地部よりも反転突出部が下方に突出するようにボトルの形態を変化させた後、ボトル同士の積み重ねを行う。
積み重ねを行う際、本ボトルの肩部に他のボトルの反転突出部を係止させながら、ボトル同士の積み重ねを行うことができる。このとき、本ボトルのキャップは、他のボトルにおける反転突出部の上側陥没部内に収容される。特に、本ボトルの肩部に他のボトルの反転突出部を係止させることができるので、本ボトルと他のボトルとを一体に連結させた状態で上下に積み重ねることができる。
【０００８】
その結果、複数段に積み重ねたボトル同士の相対的なボトル径方向への変位を規制し易くすることができ、積み重ねたボトルの全体が崩れ難くなる。従って、積み重ねの安定性を高めることができ、スタック性能を向上することができる。
【０００９】
（２）前記肩部は、上方に向かうにしたがって漸次、ボトル径方向の内側に延び、前記口部に連結される肩本体部と、前記肩本体部と前記胴部とを連結する連結部と、を備え、前記肩本体部は、前記連結部との接続部分を中心に下方に向けて変形可能に形成され、前記他のボトルにおける前記反転突出部は、前記肩本体部が変形することによって形成される窪み部内に係止可能とされてもよい。
【００１０】
この場合には、ボトル同士の積み重ねを行うにあたって、口部を下方（ボトル内側）に押し込んで、肩本体部と連結部との接続部分を中心に肩本体部を下方に向けて変形（例えば反転変形、弾性変形）させる。これにより、口部を下方に移動させることができると共に、ボトルの上部側に、下方に窪み且つ上方に開口した窪み部を形成することができる。
すると、肩本体部の変形に伴ってボトルの内容積が変化（減少）し、ボトルの内圧が上昇するので、陥没部に対して該陥没部を上方から押し下げるような応力が作用する。これにより、陥没部と接地部との接続部分を中心に陥没部を下方に向けて反転変形させることができ、ボトルの下部側に、陥没部の全体が接地部よりも下方に突出した反転突出部を形成することができる。
【００１１】
このように、肩本体部が変形可能に形成されているので、口部の押込みに伴う肩本体部の変形を利用して、陥没部を容易に反転変形させることができる。従って、ボトルの形態をスムーズに変化させ易くボトルの上部側に窪み部を形成し、且つボトルの下部側に反転突出部を形成し易い。
【００１２】
そして、ボトルの上部側に窪み部を形成することができるので、本ボトルの窪み部内に、他のボトルの反転突出部を上方から挿入させながら、ボトル同士の積み重ねを行うことができる。これにより、本ボトルの窪み部内に他のボトルの反転突出部を収容した状態で、窪み部の内側に反転突出部を係止させることができる。
このように、窪み部内に反転突出部を挿入させることができるので、本ボトルと他のボトルとを、より安定させた状態で一体に連結することができ、積み重ねの安定性をさらに高めることができる。
【００１３】
（３）前記下側陥没部の上端部側には、ボトル径方向の外側に向けて突となる押込み突部が形成されてもよい。
【００１４】
この場合には、陥没部の反転変形によって反転突出部が形成されたときに、押込み突部は反転突出部の下端部側に配設される。
従って、ボトル同士の積み重ねを行った際に、本ボトルの窪み部内に挿入された他のボトルの反転突出部は、押込み突部を利用して、窪み部を形成する肩本体部をボトル径方向の外側に向けて押し込んだ状態で、窪み部の内側に係止する。これにより、反転突出部を肩本体部に食い込ませるように係止させることができ、本ボトルと他のボトルとを、さらに安定させた状態で一体に連結させることができる。
【００１５】
（４）前記連結部は、環板状に形成されてもよい。
【００１６】
この場合には、環板状に形成されている連結部の内周縁部を中心に、肩本体部を変形させることができる。そのため、窪み部の内側に反転突出部が係止されたときに、窪み部の上方開口部に、ボトル径方向の内側に向けて突出する抜け止め突部を形成することができる。これにより、ボトルの積み重ねを行った際に、反転突出部が抜け止め突起によって窪み部内から抜け難くなるので、さらに安定した積み重ねを行うことができる。
特に、反転突出部側に押込み突部が形成されている場合には、押込み突部と抜け止め突部とをボトル軸方向に互いに係合させ合うことができるので、より効果的な抜け止めを行うことができる。
【発明の効果】
【００１７】
本発明に係るボトルによれば、安定した積み重ねを行うことができ、例えば輸送や保管等を容易且つ安全に行い易い。また、安定した積み重ねを行えるので、その分、輸送時や保管時において、平面的なスペースが占める割合を小さくすることができ、輸送スペース或いは保管スペースを２次元的に大きく確保する必要がない。従って、コストの削減及び作業効率の向上を図り易い。
【図面の簡単な説明】
【００１８】
【図１】本発明に係るボトルの実施形態を示す縦断面図（一部側面図）である。
【図２】図１に示す状態から口部を下方に押し込んで、ボトルの上部側に反転窪み部を形成し、ボトルの下部側に反転突出部を形成した状態を示す縦断面図（一部側面図）である。
【図３】図２に示すボトルを３つ用意し、これら３つのボトル同士を上下に積み重ねた状態を示す縦断面図（一部側面図）である。
【図４】図３に示す下段のボトルと中段のボトルとの積み重ね部分を拡大した縦断面図である。
【発明を実施するための形態】
【００１９】
以下、本発明に係るボトルの実施形態について図面を参照して説明する。
図１に示すように、本実施形態のボトル１は、口部２、肩部３、胴部４及び底部５を備えている。
なお、ボトル１は、例えばパリソンを利用した押出しブロー成形や、有底筒状に形成されたプリフォームを利用した２軸延伸ブロー成形等を含むブロー成形によって形成される合成樹脂製ボトルである。
【００２０】
合成樹脂としては、例えばポリエチレンテレフタレート（ＰＥＴ）、ポリエチレンナフタレート、非晶性ポリエステル等や、これらのブレンド材料等が挙げられる。但し、本実施形態のボトル１は、１種類の合成樹脂により形成される場合に限定されるものではなく、異種の合成樹脂を積層することで形成されても構わない。
例えば、主材樹脂及びバリア性樹脂の２種類の合成樹脂を積層することでボトル１を形成しても構わない。この場合、主材樹脂としては、例えば上述したＰＥＴ等の樹脂が挙げられる。また、バリア性樹脂は、例えばガス（酸素や二酸化炭素等）や、湿気等の水分や、紫外線等の光や、香り等の匂い成分等が主材樹脂を透過することを規制するバリア性を有する樹脂であり、バリアする対象物に応じて適宜選択される樹脂とされる。例えば、ガスに対するバリア性を発揮させる場合には、ナイロン系樹脂やエチレンビニルアルコール共重合体樹脂等が挙げられ、水分に対するバリア性を発揮させる場合には、環状ポリオレフィン系樹脂等が挙げられる。
【００２１】
口部２、肩部３、胴部４及び底部５は、それぞれの中心軸線を共通軸上に位置させた状態で、この順に連設されている。
以下、上述した共通軸をボトル軸Ｏといい、ボトル軸Ｏ方向に沿って口部２側を上方、その反対側を下方という。また、ボトル軸Ｏ方向から見た平面視で、ボトル軸Ｏに直交する方向をボトル径方向といい、ボトル軸Ｏ回りに周回する方向をボトル周方向という。
【００２２】
胴部４は、ボトル軸Ｏ方向に沿って延びる筒状に形成されている。図示の例では、胴部４が横断面視円筒状に形成された、丸型ボトルとされている。
但し、胴部４の形状は特に限定されるものではなく、例えばボトル１の全体のサイズ、容量、内容物の種類や、用途等に応じて自由に選択して構わない。例えば、胴部４が横断面視で多角形状に形成された角型ボトルとしても良い。なお、胴部４を横断面視で多角形状に形成する場合、例えば角部（四隅）が面取りされた正方形状に形成しても良い。
【００２３】
また、図示の例では、胴部４の全長に亘って外径がほぼ均一な胴部４としているが、この場合に限定されるものではない。例えば、胴部４の上端部側及び下端部側の外径を、胴部４のうち上端部と下端部との間に位置する中央部の外径よりも大きく形成することで、中央部が窄まった胴部４としても良い。
【００２４】
なお、例えばボトル１の剛性、減圧吸収量や取扱い性の向上等のために、胴部４に、ボトル周方向に全周に亘って連続して延びる環状凹溝（周溝）を１つ或いは複数形成しても構わないし、ボトル軸Ｏ方向に延びる縦溝や、稜線を介して連なった複数の平坦パネル部や、グリップ用凹部等を形成しても構わない。なお、胴部４に環状凹溝を複数形成する場合には、ボトル軸Ｏ方向に間隔をあけて環状凹溝を配置すれば良い。
【００２５】
底部５は、外周縁部に位置すると共に胴部４の下端部に接続された接地部１０と、ボトル軸Ｏ上に位置すると共に上方に向けて窪み、接地部１０との接続部分１１を中心に下方に向けて反転変形可能に形成された陥没部１２と、を備え、胴部４の下方開口部を塞いでいる。
【００２６】
接地部１０は、ボトル周方向の全周に亘って延びる環状に形成されている。図示の例では、接地部１０はボトル径方向に沿った幅が狭く、接地面積が僅かとされているが、例えば胴部４の下端部からボトル径方向の内側に向けて延びるように接地部１０を幅広に形成しても良い。
なお、胴部４を横断面視多角形状に形成した場合には、接地部１０をボトル径方向に幅広に形成し、その内周縁部の形状を平面視円形状とすれば良い。つまり、ボトル１の形状が角型ボトルの場合には、接地部１０における内周縁部の形状を平面視円形状とすればよい。
【００２７】
陥没部１２は、当該ボトル１とは異なる他のボトル５０のキャップ４２を内部に収容する上側陥没部１３と、上側陥没部１３と接地部１０とを連結する下側陥没部１４と、を備え、全体としてボトル軸Ｏと同軸に配設された有頂筒状に形成されている。陥没部１２は、胴部４の内側に配置され、接地部１０よりも上方に位置している。
【００２８】
下側陥没部１４は、接地部１０との接続部分１１（接地部１０の内周縁部）から上方に向けて延びた円筒状の第１反転筒部２０と、第１反転筒部２０の上端部からさらに上方に向けて延びた円筒状の膨出筒部２１と、膨出筒部２１の上端部からボトル径方向の内側に延びた円環状のフランジ部２２と、を備えている。
【００２９】
第１反転筒部２０は、上方に向かうにしたがって、漸次径が小さくなるように形成されている。図示の例では、第１反転筒部２０はボトル軸Ｏ側に突となる凹曲面状に形成されている。
但し、この場合に限定されるものではなく、例えば第１反転筒部２０は、接地部１０との接続部分１１から上方に向かうにしたがって漸次ボトル径方向の内側に向けて延びるように、縦断面視でテーパ状に形成されていても構わない。
【００３０】
また、第１反転筒部２０は、接地部１０との接続部分１１を中心として下方に向けて反転変形可能とされている。これにより、陥没部１２は、主に第１反転筒部２０が反転変形することで、全体として反転変形可能とされている。
【００３１】
膨出筒部２１は、該膨出筒部２１におけるボトル軸Ｏ方向の中央部が、第１反転筒部２０との接続部分及びフランジ部２２との接続部分よりもボトル径方向の外側に膨らむように形成されている。これにより、膨出筒部２１の外周面は、縦断面視でボトル径方向の外側に向けて突出した円弧状に形成されている。
【００３２】
上側陥没部１３は、下側陥没部１４からさらに上方に向けて窪んだ部分とされている。上側陥没部１３は、フランジ部２２の内周縁部から上方に向けて延びた円筒状の周壁部２５と、周壁部２５の上方開口部を閉塞する天壁部２６と、を備え、ボトル軸Ｏと同軸に配置された有頂筒状に形成されている。
なお、周壁部２５の直径は後述するキャップ４２の直径よりも大きく形成されている。これにより、上側陥没部１３内にキャップ４２を収容することが可能とされている。
【００３３】
上述のように構成された陥没部１２は、図２に示すように、第１反転筒部２０と接地部１０との接続部分１１を中心として下方に向けて反転変形することで、全体が接地部１０よりも下方に突出する。そして、反転変形によって接地部１０よりも下方に突出した陥没部１２は、有底筒状の反転突出部２７として機能する。
なお、フランジ部２２は、陥没部１２の反転変形によって反転突出部２７の底壁部として機能し、この底壁部がボトル１の新たな接地部となる。さらに、膨出筒部２１は、陥没部１２の反転変形によって反転突出部２７の下端部側に配置され、ボトル径方向の外側に突となる押込み突部２８として機能する。
【００３４】
図１に示すように、肩部３は全体として、胴部４の上端部から上方に向かって延びると共に、上方に向かうにしたがって、漸次ボトル径方向の内側に向かって延びるように形成されている。
肩部３は、胴部４の上端部からボトル径方向の内側に向かって延びた環板状の連結部３０と、連結部３０の内周縁部から上方に向かうにしたがって漸次、ボトル径方向の内側に延びる円環状の第２反転筒部（肩本体部）３１と、第２反転筒部３１の上端部からボトル径方向の内側に向かって延びた円環状のリング部３２と、を備えている。
【００３５】
連結部３０の内周縁部の形状は、胴部４の外形形状に関係なく、平面視円形状とされている。つまり、ボトル１の形状が角型ボトル或いは丸型ボトルのいずれであっても、リングにおける内周縁部の形状は平面視円形状とされている。
【００３６】
第２反転筒部３１は、上方に向かうにしたがって窄まるように、漸次径が小さくなるように形成されている。図示の例では、第２反転筒部３１はボトル１の外方に突となる凸曲面状に形成されている。
但し、この場合に限定されるものではなく、例えば第２反転筒部３１は、連結部３０との接続部分３３から上方に向かうにしたがって漸次ボトル径方向の内側に向けて延びるように、縦断面視でテーパ状に形成されていても構わない。
【００３７】
第２反転筒部３１は、連結部３０との接続部分３３を中心として下方に向けて変形可能とされている。具体的には、第２反転筒部３１は、接続部分３３を中心として下方に向けて反転変形とされている。これにより、肩部３は、主に第２反転筒部３１が反転変形することで、全体として反転変形可能とされている。
【００３８】
上述のように構成された肩部３は、図２に示すように、第２反転筒部３１と連結部３０との接続部分３３を中心として下方に向けて反転変形することで、第２反転筒部３１及びリング部３２が連結部３０よりも下方に移動する。これにより、ボトル１の上部側に、下方に窪み且つ上方に開口した反転窪み部（窪み部）３５を形成することができる。
【００３９】
さらに、第２反転筒部３１は、接続部分３３を中心として下方に向けて反転変形可能に形成されていることに加え、ボトル径方向にも反転変形可能とされている。
具体的には、第２反転筒部３１は、連結部３０との接続部分３３と、リング部３２との接続部分３６と、の２点を基点としてボトル径方向に反転変形可能とされている。
従って、第２反転筒部３１は接続部分３３を中心として反転変形した後、図２に示すようにボトル軸Ｏ側に突となるように膨らんだ形態と、図３及び図４に示すようにボトル径方向の外側に向けて突となるように膨らんだ形態と、の間で反転変形することが可能とされている。
【００４０】
なお、第２反転筒部３１が接続部分３３を中心として下方に向けて反転変形した後、図３及び図４に示すように、さらにボトル径方向の外側に向けて突となるように反転変形することで、反転窪み部３５の上方開口部において、ボトル径方向の内側に向けて突出する抜け止め突部３７が形成される。
【００４１】
図１に示すように、口部２は、肩部３におけるリング部３２の内周縁部から上方に向けて延びている。口部２の外周面には、ボトル周方向の全周に亘ってねじ部４０が形成されている。口部２の下端部には、ボトル径方向の外側に向かって突出し、ボトル周方向の全周にわたって延びるネックリング４１が形成されている。
【００４２】
口部２には、有頂筒状に形成されたキャップ４２がねじ部４０に螺着されることで装着されている。但し、キャップ４２の装着方法は、螺着に限定されるものではなく、例えばアンダーカット嵌合により口部２に装着されても構わない。
【００４３】
（ボトルの積み重ね）
次に、上述のように構成されたボトル１を上下に複数段積み重ねる場合について説明する。本実施形態では、図３に示すように、３つのボトルを積み重ねる場合、すなわち本ボトル１に対して他のボトル５０を積み重ね、さらに他のボトル６０を積み重ねる場合について説明する。
なお、他の２つのボトル５０、６０は、本ボトル１と同一の構成とされている。従って、図３及び図４において、他の２つのボトル５０、６０には、本ボトル１と同一の符号を付している。
【００４４】
はじめに、積み重ねを行うにあたって、図１に示す矢印のように、口部２を下方に向けて押し込んで、第２反転筒部３１と連結部３０との接続部分３３を中心に第２反転筒部３１を下方に向けて反転変形させる。これにより、図２に示すように、口部２を下方に移動させることができ、ボトル１の上部側に、下方に窪み且つ上方に開口した反転窪み部３５を形成することができる。
【００４５】
なお、図２の例では、第２反転筒部３１はボトル軸Ｏ側に向けて膨らんでいるが、例えば図４に示すように、接続部分３３を中心とした下方への反転変形に伴って、第２反転筒部３１をボトル径方向の外側に向けて膨らむように反転変形させても良い。
【００４６】
第２反転筒部３１が接続部分３３を中心に反転変形すると、この反転変形に伴ってボトル１の内容積が変化（減少）するので、ボトル１の内圧が上昇し、陥没部１２に対して該陥没部１２を上方から押し下げるような応力が作用する。これにより、図２に示すように、第１反転筒部２０と接地部１０との接続部分１１を中心に、陥没部１２を下方に向けて反転変形させることができる。そのため、ボトル１の下部側に、陥没部１２の全体が接地部１０よりも下方に突出した反転突出部２７を形成することができる。
【００４７】
なお、ボトル１の内容積は、陥没部１２が反転変形することによって、肩部３を反転変形させる前の状態と同じになる。従って、陥没部１２の反転変形後、内容積の変化に起因する応力が、例えば胴部４等に作用し難い。
【００４８】
このように、積み重ねを行うにあたって口部２を下方に押し込むことで、ボトル１の形態を変化させることができ、ボトル１の上部側に反転窪み部３５を形成し、且つボトル１の下部側に反転突出部２７を形成することができる。
【００４９】
そして、本ボトル１と同様に、他の２つのボトル５０、６０に対しても反転窪み部３５及び反転突出部２７をそれぞれ形成した後、積み重ねを行う。
この場合には、図３に示すように、本ボトル１に対して他のボトル５０を上方から重ね合わせ、本ボトル１の反転窪み部３５内に、他のボトル５０の反転突出部２７を上方から挿入させる。この際、本ボトル１のキャップ４２は、他のボトル５０における反転突出部２７の上側陥没部１３内に収容される。これにより、本ボトル１及び他のボトル５０同士の積み重ねを行うことができる。
【００５０】
特に、本ボトル１の反転窪み部３５内に挿入された他のボトル５０の反転突出部２７は、図４に示すように、反転窪み部３５を形成する第２反転筒部３１をボトル径方向の外側に押し込んだ状態で、反転窪み部３５の内側に係止される。
具体的には、本ボトル１の反転窪み部３５内に他のボトル５０の反転突出部２７を挿入する過程で、反転突出部２７に形成された押込み突部２８を第２反転筒部３１に対して確実に押し当てながら（密着させながら）、第２反転筒部３１をボトル径方向の外側に向けて押し広げるように反転変形させることができる。これにより、押込み突部２８を利用して第２反転筒部３１をボトル径方向の外側に向けて押し込むことができる。
【００５１】
従って、押込み突部２８を第２反転筒部３１に対して食い込ませるように、反転突出部２７を反転窪み部３５内に係止させることができ、本ボトル１と他のボトル５０とを一体に連結させた状態で上下に積み重ねることができる。また、同様にして、他のボトル５０と、残りのボトル６０とを上下に積み重ねる。
【００５２】
その結果、図３に示すように、複数段（３段）に積み重ねたボトル１、５０、６０同士の相対的なボトル径方向への変位を規制し易くすることができ、積み重ねたボトル１、５０、６０の全体が崩れ難くなる。従って、積み重ねの安定性を高めることができ、スタック性能を向上することができる。
【００５３】
以上説明したように、本実施形態のボトル１によれば、安定した積み重ねを行うことができ、例えば輸送や保管等を容易且つ安全に行い易い。
また、安定した積み重ねを行えるので、その分、輸送時や保管時において、平面的なスペースが占める割合を小さくすることができ、輸送スペース或いは保管スペースを２次元的に大きく確保する必要がない。従って、コストの削減及び作業効率の向上を図り易い。
【００５４】
また、上記実施形態では、ボトル１の積み重ねを行った際に、反転突出部２７が抜け止め突部３７によって反転窪み部３５内から抜け難くなる。しかも、図４に示すように、押込み突部２８と抜け止め突部３７とがボトル軸Ｏ方向に互いに係合し合うので、より効果的な抜け止めを行うことができる。従って、安定した積み重ねを行うことができ、例えば４段以上の積み重ねを安定して行える。
【００５５】
なお、本発明の技術範囲は、上記実施形態に限定されるものではなく、本発明の趣旨を逸脱しない範囲において、種々の変更を加えることが可能である。
【００５６】
例えば、上記実施形態において、ボトル１の積み重ねを行った際に、本ボトル１のリング部３２に対して、他のボトル５０における反転突出部２７のフランジ部２２を上方から接触させた状態で、反転窪み部３５の内側に反転突出部２７を係止させても構わない。この場合には、ボトル軸Ｏ方向に隙間をあけずにボトル１、５０同士を上下に複数段積み重ねることが可能となるので、積み重ねの安定性がさらに向上する。
【００５７】
また、上記実施形態では、第２反転筒部３１と連結部３０との接続部分３３と、第２反転筒部３１とリング部３２との接続部分３６と、の２点を基点として、第２反転筒部３１をボトル径方向に反転変形可能に形成したが、上記２点を基点として第２反転筒部３１を弾性変形可能に形成しても構わない。
この場合には、接続部分３３を中心に第２反転筒部３１を下方に反転変形させた際、図２に示すように、ボトル軸Ｏ側に突となるように膨らんだ状態が弾性復元位置となるように形成すれば良い。
【００５８】
さらに、上記実施形態では、第２反転筒部３１を、接続部分３３を中心に下方に向けて反転変形可能に形成したが、反転変形に限定されるものではなく、例えば接続部分３３を中心に下方に向けて弾性変形可能に形成しても構わない。
この場合であっても、接続部分３３を中心として第２反転筒部３１を下方に向けて弾性変形させることで、接続部分１１を中心に陥没部１２を下方に向けて反転変形させて反転突出部２７を形成することができる。しかも、反転突出部２７の形成後、接続部分３３を中心として第２反転筒部３１を上方に向けて弾性復元変形させることができる。従って、ボトル１の下部側に反転突出部２７だけを形成した形態にボトル１を変化させることができる。
また、ボトル同士の積み重ねを行う場合には、第２反転筒部３１は、他のボトル５０の反転突出部２７によって上方から押圧されるので、再び接続部分３３を中心として下方に弾性変形する。従って、上述した実施形態と同様に、本ボトル１の反転窪み部３５内に他のボトル５０の反転突出部２７を係止させた状態で、積み重ねを行うことができる。
【００５９】
このように、本発明において、肩部３における肩本体部（第２反転筒部３１）は、接続部分３３を中心に下方に向けて変形可能とされていれば良く、反転変形でも弾性変形でも構わない。
【００６０】
加えて、本発明においては、肩本体部を、接続部分３３を中心に下方に向けて変形可能とする構成は必須ではなく、陥没部１２だけを接続部分１１を中心に下方に向けて反転変形可能に構成しても良い。
この場合には、陥没部１２が反転変形することによって形成される反転突出部２７を、肩部３に対して係止させれば良い。従ってこの場合には、肩部３の形状を反転突出部２７の形状に対応して形成し、反転突出部２７と肩部３とが互いに係止し合うように構成すれば良い。
【符号の説明】
【００６１】
Ｏ…ボトル軸
１、５０、６０…ボトル
２…口部
３…肩部
５…底部
１０…接地部
１２…陥没部
１３…上側陥没部
１４…下側陥没部
２７…反転突出部
２８…押込み突部
３０…連結部
３１…第２反転筒部（肩本体部）
３５…反転窪み部（窪み部）
４２…キャップ
【図１】
2017178327.tif 000003
【図２】
2017178327.tif 000004
【図３】
2017178327.tif 000005
【図４】
2017178327.tif 000006